(57)【要約】【課題】消臭装置の設置面積を極力小さくして配設でき、柱や壁に沿わせて簡単に設置することができる消臭装置を提供する。【解決手段】ポール継ぎ足し組立式消臭装置として、両端部に、嵌合により継ぎ足し可能な凹凸段部の形成された筒状の中間ポールと、一端に前記中間ポールの凹段部に嵌合する凹段部を有し、外周に給送風用の孔を有し、最先端側に長さ調節可能な端部固定ネジキャップを螺合する円筒状の端部ポールと、相互に継ぎ足される分割された各ポール間にフランジを介して取り付けられ、消臭剤とファンがポール筒内に配設される消臭ユニットとを備え、消臭剤は消臭ユニットのケース内に通気性部材の間に装着され、端部固定ネジキャップはその端面に定着手段を備える。【選択図】  図１
0003128124.tif 000002
【実用新案登録請求の範囲】
【請求項１】
嵌合により継ぎ足し可能な内周又は外周凹段部をその両端に形成した１〜複数の筒状中間ポールと、一端に、前記中間ポールの内周又は外周凹段部に相補的に嵌合する外周又は内周凹段部を有し、外周に給排気用の孔を有し、他端に雌ネジ部と当該雌ネジ部に調節可能に螺着される端部固定ネジキャップを備えて、前記中間ポールの両端に各配置される２つの筒状端部ポールと、相互に相補的に嵌合される前記筒状中間ポール及び筒状端部ポールの凹状段部と凸状段部間に、そのケースフランジ部が挟持され、ポール内に収容される消臭剤支持ケースを介して、消臭剤支持ケースに通気性部材により装着される消臭剤とファンモータを具える消臭ユニットと、を備え、前記各筒状端部ポールに、その端面にキャップ固定手段を設けた端部固定ネジキャップが螺着され、キャップ固定手段が天井又は床に当接し回り止めされたとき、筒状端部ポールの回転により端部固定ネジキャップを伸縮可能としたことを特徴とするポール分割嵌合式消臭装置。
【請求項２】
請求項１において、前記筒状中間ポールは、軸方向中心と直交する線に対称形をなす形状を有し、その両端内周凹段部又は両端外周凹段部の同一端部形状を具え、これに組合される一対の前記端部固定ネジキャップを備えた筒状端部ポールは、その一端の凹段部が同一構造であるポール分割嵌合式消臭装置。
【請求項３】
請求項１又は２において、２つの各筒状端部ポールに螺着する端部固定ネジキャップはキャップフランジを有し、当該キャップフランジの端面に定置固定手段を備え、２つの端部固定ネジキャップに係る定置固定手段が、ズレ止め突起と止めネジの同じか又は異なる組み合わせの対として各備えているポール分割嵌合式消臭装置。
【請求項４】
請求項１ないし３のいずれかにおいて、端部ポールの外周に形成される給排気孔は、円筒状の端部ポールの外周に形成した窓付き周溝と、この窓付き周溝に嵌合可能な多孔環状部材により構成されるポール分割嵌合式消臭装置。
【請求項５】
請求項１ないし４のいずれかにおいて、消臭ユニットの消臭剤が消臭剤を塗布又は含浸したコルゲート材又はハニカム材からなる消臭素子としたポール分割嵌合式消臭装置。
【考案の詳細な説明】
【技術分野】
【０００１】
この出願の考案は、円筒状の消臭装置であって、詳しくは部屋の天井と床の間に配置し組み立てて使用できるポール状消臭装置であり、天井と床など並行な２つの面をもつ建屋であれば、このポール状消臭装置を自由な位置に配置して組み立て使用することができ、その際、継足し組立てにより簡単に組み立てて取付けることのできるポール分割嵌合式消臭装置に関する。
【背景技術】
【０００２】
先行の消臭装置（特開平１０−３３６５１号公報）は、人体の上半身に消臭剤を含んだエアーを噴出し、また使用者の手に速乾性洗浄液を噴射して、消臭装置を、場所を選ばない設置を可能にする装置を提供するものである。しかし、種々の噴射手段を備える複雑な消臭装置であり、また消臭装置の設置場所を選ばないとはいっても、所定の人間活動空間内に配置されることとなるため、消臭設置の設置場所により、人間の活動空間に制約を受けざるを得ないものであった。
また、先行の消臭装置（特開２００１−２１２２２０号公報）は、車内用消臭具として、薬剤体を加熱により消臭生成および殺菌成分を揮散させるため、円筒形のケース本体内に、薬剤体と発熱体を収納し、設置面への熱伝導を抑制するもの構造に特徴を有するものであって、本願考案のように円筒形のケース本体を多段に積み重ねるものではなく、その必要性を有するものでもない。
さらに、先行の消臭装置（特開２００２−２２４２０１号公報）は、臭気を含む空気を消臭剤成分と接触させて臭気成分を分解させる簡単な臭気装置を提供するものであるが、この先行技術も、本願考案のように円筒形のケース本体を多段に積み重ねるものではなく、その必要性を有するものでもない。
【０００３】
特に、大勢の人間を収容する設備、ホールなどにおいて、臭気を含む空気の脱臭を効果的に機能させると共に、臭気装置として設置するに際して、人間の活動空間を制約することなく、場所を取らずに設置できる消臭装置が望まれていた。
【０００４】
【特許文献１】特開平１０−３３６５１号公報
【特許文献２】特開２００１−２１２２２０号公報
【特許文献３】特開２００２−２２４２０１号公報
【考案の開示】
【考案が解決しようとする課題】
【０００５】
本願考案は、上記の事情に鑑み考案されたものであり、多くの人間を収容する設備、ホールなどにおいて、設置の占有面積を極力少なくして配設することができ、臭気装置の設置に当って、人間の活動空間を制約することなく設置場所を確保して、しかもたばこ臭を消臭しながら、設備や、ホール等における、既存の柱や壁に沿わせて場所を取らずに簡単に設置することができる消臭装置を提供することである。  
【課題を解決するための手段】
【０００６】
本願考案は、嵌合により継ぎ足し可能な内周又は外周凹段部をその両端に形成した１〜複数の筒状中間ポールと、一端に、前記中間ポールの内周又は外周凹段部に相補的に嵌合する外周又は内周凹段部を有し、外周に給排気用の孔を有し、他端に雌ネジ部と当該雌ネジ部に調節可能に螺着される端部固定ネジキャップを備えて、前記中間ポールの両端に各配置される２つの筒状端部ポールと、相互に相補的に嵌合される前記筒状中間ポール及び筒状端部ポールの凹状段部と凸状段部間に、そのケースフランジ部が挟持され、ポール内に収容される消臭剤支持ケースを介して、消臭剤支持ケースに通気性部材により装着される消臭剤とファンモータを具える消臭ユニットと、を備え、前記各筒状端部ポールに、その端面にキャップ固定手段を設けた端部固定ネジキャップが螺着され、キャップ固定手段が天井又は床に当接し回り止めされたとき、筒状端部ポールの回転により端部固定ネジキャップを伸縮可能としたことを特徴とするポール分割嵌合式消臭装置を提供する。
【考案の効果】
【０００７】
本願考案によれば、基本的に、１〜複数の筒状中間ポールと、端部固定ネジキャップ付きの２つの筒状端部ポールと、消臭剤支持ケースとを備え、嵌合により継ぎ足し可能な段部が両端部に形成された筒状中間ポールと、一端に前記筒状中間ポールの段部に相補的に嵌合する段部を有し、外周に給送風用の孔を有し、最先端側に調節可能な端部固定ネジキャップを螺合する筒状端部ポールと、相互に継ぎ足される筒状中間ポールと筒状中間ポールとの相互に嵌合する凹段部の間又は筒状中間ポールと筒状端部ポールとの相互に嵌合する凹段部の間にそのフランジ部が挟持して取り付けられて、消臭剤とモーターファンがポール筒内に収容して配設する消臭ユニットとを備え、消臭ユニットの消臭剤は消臭ユニット支持ケース内に通気性部材、例えばネットや金網の間に装着され、両端に位置する各ネジキャップはその端面に定着固定手段、例えば、ズレ止め突起又は止めネジが備えられているポール分割嵌合式消臭装置で、部屋の天井と床の間にポール状に組立てられる消臭装置であるので、分割された各ポールの間に消臭ユニットを挟持しつつ分割された各ポールを順に継ぎ足しながら、簡単に組立てることができ、部屋の天井と床の間の寸法に合わせて、分割ポールの最適数を選定し、端部ポールについては短縮した状態で固定位置にセットし、順次ポールを嵌合しながら消臭装置を継ぎ足して組立て、端部ポールを継ぎ足した最終組立て位置で、端部ポールに螺着した端部固定ネジキャップを調節しながらネジ戻して天井に当接させ、端部固定ネジキャップが天井に当接し、廻り止め状態となし、最終的に今度は端部ポールを端部固定ネジキャップに対して捩じ戻し、これにより端部固定ネジキャップを伸張させ、ポール分割嵌合式消臭装置の上端を天井の定位置に確りと固定する。このように、ポール分割嵌合式消臭装置は、端部固定ネジキャップと端部ポールの捩じ込み度合いを加減調節することによって所定位置に、誰にでも簡単に取り付けることができる。
【０００８】
端部ポールと中間ポールの間、又は中間ポールと中間ポールの間に挟持する消臭剤支持ケースの設置数を、全部の段部に配置することなく任意に選定することによって、消臭剤とファンモータを備える消臭ユニットの設置台数を加減することができ、設置空間・設備大きさに応じて必要な消臭能力に合わせた設計が可能である。
もちろん各ポール間全てに消臭剤支持ケースを挟持し、これに配置されるファンモータの運転台数の制御によって消臭能力を加減する運転も可能である。
【考案を実施するための最良の形態】
【０００９】
本願考案における中間ポールは、その両端に形成される前記凹凸段部を、例えば、軸方向線対称の両端それぞれ凹凹となる凹段部を備える中間ポールと、軸方向線対称の両端それぞれ凸凸となる凸凸段部を備える中間ポールとの組合せとして構成し、これらの中間ポールの嵌合により継ぎ足し可能とすることができる。すなわち、中間ポールは軸方向中心と直交する線に対称形をなす形状を有するものであると言い換えることができる。
この場合、螺着式端部支持キャップを備えた円筒状の両端の端部ポールは同一構造の端部ポールである。
したがって、端部ポールは、上下とも同一形状の端部ポールを使用することができ、上下の端部ポールを共用することができるので、共用化によりポール継ぎ足し組立式消臭装置の組立部品の点数を最小限に抑えることができ、部品の保管・管理が簡単になる。また、対称形ピースの加工であるので単一の工具のみ連続的な単純作業化が可能であり、加工製作上のメリットがある。
【００１０】
また、本願考案における一対の螺着式端部支持キャップは、当該支持キャップの閉鎖端部にフランジを備え、前記フランジ端面に廻り止めの突起又は止めネジを任意に選択して備えることができるので、天井、床とも突起に、またはネジ止めにすることができ、また、一方の床又は天井をネジ止めに、他方の天井又は床を廻り止め突起とすることもできる。両者をネジ止めにした場合には、ポールを床や天井にしっかりと強固に固定することができる。
【００１１】
さらに、本願考案における端部ポールの外周に形成される給排気用の孔は、円筒状の端部ポールの外周に形成した周溝に嵌合可能な多孔環状部材により構成することができる。これによれば、端部ポールの通気加工が、円筒状の端部ポールを直接孔加工することなく、板状の部材の孔加工と孔加工された板状部材の円筒曲げ加工の単純加工品として製作し組み立てることができるので、円筒状の端部ポールの製作を単純化し効率的な製作を可能にする。送排気通路の目詰まりに場合に、多孔環状部材の交換で簡単に対処することができる。
また、端部ポールの外周に形成される給排気用の孔は、円筒状の端部ポールの外周に形成した環状溝に嵌合可能な多数の穿設孔を有する円筒部材により構成されるものとした場合には、多数の穿設孔を有した、スリット付きの円筒部材を別途製作し、スリットを広げてその多孔円筒部材を、円筒状の端部ポールの外周に形成した環状溝に嵌合する作業により簡単に組立てることができる。
なお、ポールの形状は、円筒状として説明したが、六角、八角等の多角形とすることができることはもちろんである。
【００１２】
さらにまた、本願考案における消臭機能材料は、消臭剤を塗布又は含浸したコルゲート材又はハニカム材としたポール継ぎ足し組立式消臭装置として提供する。これによれば、コルゲート材又はハニカム材によって整流されながら通過する中で、その表面に付着された消臭剤表面に接触しながら全表面で消臭されるので、消臭機能を円滑に効率的に実行することができる。
消臭機能材料を、消臭剤を塗布又は含浸したコルゲート材又はハニカム材とした消臭素子を使用した場合には、メッシュ等の袋詰めの消臭剤を採用するときよりも、袋詰め作業を省略できるのみならず、保管、組立が簡単であるので、短期間に提供することができ、ポール分割嵌合式消臭装置の組立を一層迅速に行なうことが可能となる。  
【００１３】
本願考案における消臭機能は、設置される消臭剤の数の制限、強制ファンの回転方向の制御によって、任意に制御することができる。所定の位置における消臭剤の設置を省略し、設置数を削減することによって、使用場所に合わせた消臭機能を持つ消臭装置を設置することができる。また、部屋の上下位置において、臭気源の発生域ないし滞留域が異なる場合には、その状況に応じて、高位に滞留する臭気の場合は、上方から吸引して消臭し下方へと排気、また、逆に低位に滞留する臭気の場合は、下方から吸引して消臭し上方へと排気するようにファンモータの回転を制御して排気方向を変えた運転をすることができる。したがって、使用する環境の状態に合わせた最適の運転制御のできる消臭装置を提供することができるばかりでなく、さらに、ポール分割嵌合式消臭装置として、場所を取らずに容易に組み立て設置することができる。
以下、本考案について、図面を用いてさらに詳細に説明する。
【実施例１】
【００１４】
本願考案の継足し組立て型ポール分割嵌合式消臭装置（以下「本願消臭装置」と略称する。）１は、概括的に、複数の中間ポール２と、本願消臭装置の両端に配置されるものとして、中間ポール２の外側においてこれに嵌合して組立てられる端部ポール３と、前記中間ポール２と中間ポール２との間、又は前記中間ポール２と端部ポール３との間に消臭ユニット支持ケース４１を介して配設される消臭ユニット４とから構成される。中間ポール２は、図１では２本備えているが、１ないし複数の中間ポール２を使用し、端部ポール３に継ぎ足して組立てることができる。
【００１５】
図１は実施例１を示す。この実施例１では端部ポール３として、一端に外周凹段部３１ａを備え、他端に形成された雌ネジ部に螺着される端部支持ネジキャップ３３を備え、ネジキャップ３３の端面に止めネジ用のネジ止め孔が形成されている端部ポール３Ａと、一端に内周凹段部３１ｂを備え、他端に形成された雌ネジ部に螺着される端部支持ネジキャップ３３を備え、ネジキャップ３３の端面にズレ止め用の突起が形成されている端部ポール３Ｂとを含んでいる。
さらに詳細には、端部ポール３Ａ、端部ポール３Ｂは、両者共に軸方向端面にフランジ３３ａが形成されると共に、キャップ固定手段３４を備えている。
すなわち、一方の端部ポール３Ａのフランジ３３ａには、止めネジ３４ａにより床面Ｆに固定可能に、ネジ止め孔が形成されている。
また、他方の端部ポール３Ｂのフランジ３３ａには、その表面に突起３４ｂが形成され、天井Ｃ表面との接合時に、廻り止め乃至ズレ止めが可能となっている。
さらに、端部ポール３Ａと３Ｂは、それぞれの外周に送排気孔３５が穿設されており、消臭する空気、消臭された空気の送排気孔として送気又は排気の通口を形成している。送排気孔３５の形状は図示のものに限定されるものではない。
【００１６】
中間ポール２はその両端部に嵌合により継ぎ足し可能な凹段部２１を有し、この実施例１では、一端に外周凹段部２１ａ、他端に内周凹段部２１ｂをそれぞれ備え円筒状の中間ポールとして作製されている。
したがって、中間ポール２の内周凹段部２１ｂに端部ポール３Ａの外周凹段部３１ａを嵌合することができ、また、中間ポール２の外周凹段部２１ａに端部ポール３Ｂの内周凹段部３１ｂを嵌合することができるようになっている。
中間ポール２と端部ポール３Ａ、３Ｂとの嵌合に際しては、両者のポール間には後述する消臭ユニット４を配置するものであるが、その際、中間ポール２と端部ポール３Ａ、３Ｂとの間に消臭ユニット支持ケース４１を挟持しながら嵌合する。
複数の中間ポール２を組立てる場合には、中間ポール２の間に、前記同様に消臭ユニット支持ケース４１を挟持しながら嵌合する。
１乃至複数の中間ポール２の端部に消臭ユニット４をセットした後、さらに端部ポール３を継ぎ足し、端部ポール３とこれに螺合される端部固定ネジキャップ３３のネジ込み量を加減して張り出し、これにより長さ調整しながら天井と床の間にポール状の消臭装置を設置する。
【００１７】
単一又は相互に継ぎ足される複数の中間ポール２と端部ポール３（３Ａ、３Ｂ）により継足し嵌合される各凹段部（２１ａに対する２１ｂ、２１ｂに対する２１ａ；２１ａに対する３１ｂ；２１ｂに対する３１ａ）の間に、消臭ユニット支持ケース４１のフランジ部４１ａが挟持され、消臭ユニット４の消臭剤４３とファンモータ４５が各ポール筒内に収容して配設される。この場合、消臭ユニット４は、中間ポール２と端部ポール３の相互に嵌合される前記凹段部の全ての位置に配置される必要はなく、任意の選択された位置に制限して配置してもよい。
なお、消臭ユニット４の配置は、図１に示すように、消臭ユニット支持ケース４１のフランジ４１ａを各ポール部材の凹段部上端に載置した状態で取り付け、したがって、消臭剤を下側に配置し、ファンモータを上側に配置して運転されるものであるが、この配置を逆転し（図１の上下を逆転した設置状態）、ファンモータを下側に、消臭剤を上側にそれぞれ配置されるように、消臭ユニット支持ケース４１のフランジ４１ａを各ポール部材の凹段部下端で支持した状態で取り付けて運転することもできる。
この場合、図１に示すファンモータによる押し込み式（プッシュ式）、吸引式（プル式）の運転が、今度は逆転することになる。
【００１８】
上記実施例１において、消臭ユニット支持ケース４１に支持される消臭ユニット４の消臭剤４３は、図２に示すように、顆粒状の消臭剤の場合、金網等の通気性支持部材４２と、金網等の通気性押さえ部材４４の間に直接装着することができる。
また、この場合、通気性のネット詰めされた単位体、又は多孔壁面を有する通気性に箱体に箱詰めされた単位体として、前記通気性部材を介して配設することができる。
さらに、この消臭ユニット４は、ハニカム材やコルゲート材の表面に消臭剤の微粒子を塗布又は噴霧により付着させた単位体、消臭素子として作成したものを利用することもできる。
本願考案に係るポール分割嵌合式消臭装置の組立ては、次のように実施される。
先ず本願ポール状の消臭装置の設置位置を設定し、設置位置における高さに相当するものとして、中間ポール及び端部固定ネジキャップ付き端部ポールの各必要数を組合せ選定する。
【００１９】
そこで据付けに際して、床にセットする最下部の端部ポール３Ａのポール固定ネジキャップ３３を止めネジ３４ａにより固定する。固定されたポール固定ネジキャップ３３に端部ポール３Ａを捩じ込んで最小に短縮し、次いで、端部ポール３上方の凹段部３１ａの端縁に、消臭ユニット支持ケース４１をそのフランジ４１a部分を載置支持し、消臭剤４３及びファンモータ４５を備えた消臭ユニット４を端部ポール３Ａの内部に収容し、中間ポール２を嵌合する。中間ポール２は、一端に外周凹段部、他端に内周凹段部を備えた中間ポール２Ａとして作製されたものであり、中間ポール２Ａを、相互に補完嵌合する外周凹段部２１ａと内周凹段部２１ｂを継足して重ね、この重ねた状態で同時に支持ケース４１のフランジ４１aを挟持する。その際、消臭剤４３及びファンモータ４５を備えた消臭ユニット４は端部ポール３Ａの内部に収容される。このような消臭ユニット支持ケース４１のフランジ４１aを挟持しながら必要数の中間ポール２Ａ同志の組み立てを繰り返し、最後に継ぎ足された中間ポールの上に、消臭ユニット４を組み込んで、端部ポール３を嵌合する。この際、ポール端部固定ネジキャップ３３を端部ポール３Ａに捩じ込んで最小寸法とした端部ポール３を継ぎ足すことになる。
下端の端部ポール、中間ポール、上端の端部ポールを含む必要なポール数を嵌合して垂直状に一直線に継ぎ足した状態で、上端の端部ポールにおけるポール端部固定ネジキャップ３３を捩じり戻して伸張させ、その先端を天井面Ｃに当接させる。ポール端部固定ネジキャップ３３の先端が天井Ｃに当接したとき、ネジキャップ３３の先端面に形成されたズレ止め突起３４ｂによって廻り止めされるので、今度は、ポール端部固定ネジキャップ３３を螺着する端部ポール３Ｂの方を回すことによって、ポール端部固定ネジキャップ３３を張り出し拡張させ、これによって、ポール分割嵌合式消臭装置１のポール部は天井Ｃと床Ｆの間に突っ張り棒として確り固定されることになる。
【００２０】
なお、設置に際しては、ポール分割嵌合式消臭装置１における端部ポールに螺着されるポール端部固定ネジキャップ３３を最小長さに縮小させた状態で、消臭ユニットを介在配設しながら必要な位置の各ポールを、天井と床の間の距離より若干短い長さを有するように予備的な事前組立を行ない、所定の設置場所において、前記事前組立てのポール分割嵌合式消臭装置全体を天井に向けて立ち上げ、所定の設置場所の垂直位置において、端部ポールのポール端部固定ネジキャップ３３をネジ戻し伸張させて天井に当接させ、その後この位置決めされた状態で、先の説明と同様に、端部ポールをネジ回すことにより、ポール端部支持キャップ３３を伸張させて取り付けることもできる。
【実施例２】
【００２１】
上記実施例１における、中間ポール２は、中間ポールの両端に形成される前記凹凸段部２１が、一方は外周凹段部２１ａとして、他方は内周凹段部２１ｂとして形成される１種類の中間ポール２Ａのみを使用し、それらを嵌合継足しするものであるが、この実施例２では、中間ポール２として２種類の中間ポール２Ｂ、２Ｃを使用するものである。
具体的には、図３に示すように、中間ポール２は、中間ポールの両端に形成される前記凹凸段部２１が、中間ポール２の両端とも外周凹段部２１ａの形成された中間ポール２Ｂと、中間ポールの両端とも内周凹段部２１ｂの形成された中間ポール２Ｃとの２種類を使用する。言い換えれば、前記筒状中間ポールが軸方向中心と直交をする線に対称形をなす形状を有し、両端の凹段部が共に外周凹段部２１ａである凸凸段部を有する対称形中間ポール２Ｂと、両端の凹段部が共に内周凹段部２１ｂである凹凹段部を有する対称形中間ポール２Ｃの２種類の中間ポールを備え、この両端凹凹段部又は両端凸凸段部の形成された中間ポールを組み合わせて使用したポール分割嵌合式消臭装置を提供するものである。
この実施例では、別な言い方をすれば、前記筒状中間ポールが軸方向中心と直交をする線に対称形をなす形状を有するものであり、前記端部固定ネジキャップを備えた筒状端部ポールが同一構造であるものとして組立てることができる。
ポール分割嵌合式消臭装置全体としても対称形の構造をもつものと言える。
【００２２】
この場合、ポール分割嵌合式消臭装置全体としても中央で対称形の構造をなす場合、端部ポールは両端で２個であって、中間ポール２Ｂ、２Ｃの組合せで使用の中間ポールは必ず奇数個の使用となり、奇数個の中間ポール２Ｂ、２Ｃによる継足し構造を採るものとしたとき、端部ポール３について、上下の端部ポール３Ｃ、３Ｃとも同一形状の端部ポールを使用することができる。
この実施例２においては、上下の端部ポール３Ｃ、３Ｃを共用することができるので、その共用化によりポール分割嵌合式消臭装置の、複雑な組立部品となりがちな端部ポール３について１種類で済ますことができるので、その製造、保管・管理が簡単になり、トータル的な生産コストを抑えることができる。また、中間ポール２Ｂ、２Ｃについては、それらの加工において、対称形ピースの加工であるため単一の工具のみ連続的な単純作業化が可能であるため製作加工上のメリットがある。
【００２３】
第２実施例において、上下の端部ポール３Ｃ、３Ｃに形成される送排気孔手段は、実施例１の送排気孔３５が、図３に示すように、端部ポール３Ｃの外周に形成された環状の周溝であって、内周に形成され前記周溝に通じる窓を備えている窓付き周溝３５ａと、この窓付き周溝３５ａに嵌合され多数の通気孔を穿設された環状の多孔環状部材３５ｂとによって構成される。
図４は、窓付き周溝３５ａに多孔環状部材３５ｂを嵌合した水平方向の断面図を概略適に示している。
【００２４】
なお、この窓付き周溝３５ａと多孔環状部材３５ｂとによる送排気孔手段は、実施例１の上下の端部ポール３Ａ、３Ｂに対して適用することもできることはもちろんである。
【図面の簡単な説明】
【００２５】
【図１】ポール分割嵌合式消臭装置の一部断面で示す第１実施例の概要図である。
【図２】本願考案消臭装置における消臭ユニットとその支持ケースを拡大して示す概要図である。
【図３】ポール分割嵌合式消臭装置の一部断面で示す第２実施例の概要図である。
【図４】本願考案消臭装置における端部ポールに形成される送排気孔の他の実施例を示す。
【符号の説明】
【００２６】
１  ポール分割嵌合式消臭装置
２  中間ポール
２Ａ  一端外周凹段部他端内周凹段部付き中間ポール
２Ｂ  両端外周凹段部付き中間ポール
２Ｃ  両端内周凹段部付き中間ポール
２１  凹段部
２１a  外周凹段部（凸段部）
２１b  内周凹段部（凹段部）
３  端部ポール
３Ａ  止めネジ型端部固定ネジキャップを備える端部ポール
３Ｂ  ズレ止め突起型端部固定ネジキャップを備える端部ポール
３Ｃ  窓付き周溝に多孔環状部材を嵌着した端部固定ネジキャップを備える端部ポール
３１  凹段部
３１a  外周凹段部（凸段部）
３１b  内周凹段部（凹段部）
３２  雌ネジ部
３３  端部固定ネジキャップ  
３３ａ  フランジ
３４  キャップ固定手段
３４a  止めネジ
３４b  ズレ止め突起
３５  送排気孔
３５a  窓付き周溝
３５b  多孔環状部材
４  消臭ユニット  
４１  消臭ユニット支持ケース  
４１ａ  フランジ
４１ｂ  支持梁
４１ｃ  開口
４１ｄ  通路
４２  通気性支持部材  
４３  消臭剤  
４３a  顆粒消臭剤
４３b  消臭素子
４４  通気性押え部材
４５  ファンモータ  
４５a  ファン
４５b  モータ
Ｃ  天井
Ｆ  床
【図１】
0003128124.tif 000003
【図２】
0003128124.tif 000004
【図３】
0003128124.tif 000005
【図４】
0003128124.tif 000006